(57)【要約】【課題】  レールの天井面への取り付けが容易であり、かつ意匠性が良好な戸を提供する。【解決手段】  戸体と、上枠を備え、戸体は、上部に上戸車を有しており、上枠は、ベース部材と、レール部材からなり、ベース部材は、ソリッド形状の押出材であって、天井面に取り付けてあり、レール部材は、ベース部材に呑み込ませて取り付けてあり、戸体の上戸車がレール部材を転動する。【選択図】      図１
2017014729.tif 000002
【特許請求の範囲】
【請求項１】
戸体と、上枠を備え、戸体は、上部に上戸車を有しており、上枠は、ベース部材と、レール部材からなり、ベース部材は、ソリッド形状の押出材であって、天井面に取り付けてあり、レール部材は、ベース部材に呑み込ませて取り付けてあり、戸体の上戸車がレール部材を転動することを特徴とする戸。
【発明の詳細な説明】
【技術分野】
【０００１】
本発明は、戸体の上部に取り付けた上戸車が天井面に取り付けたレールを転動する戸に関する。
【背景技術】
【０００２】
従来、戸体の上部に取り付けた上戸車が天井面に取り付けたレールを転動する上吊式の引戸がある。このような引戸においては、戸体がスムーズに動くように、レールを水平に設置する必要があるが、施工上の誤差などにより、天井面が水平でない場合、レールと天井面の間に隙間が生じてしまい、その隙間をコーキングで埋める作業に手間がかかっていた。そこで、特許文献１に示すように、レールと天井面の間に弾性部材を介在させたものがあり、弾性部材により隙間が埋められ、施工も容易であった。
【先行技術文献】
【特許文献】
【０００３】
【特許文献１】特開２００５−２４０２７６号公報
【発明の概要】
【発明が解決しようとする課題】
【０００４】
しかしながら、特許文献１の発明によれば、レールと天井面の間の隙間は埋められるものの、替わりに弾性部材が露出してしまうので、意匠性がよくなかった。
【０００５】
本発明は、上記事情を鑑みたものであり、レールの天井面への取り付けが容易であり、かつ意匠性が良好な戸を提供することを目的とする。
【課題を解決するための手段】
【０００６】
本発明は、戸体と、上枠を備え、戸体は、上部に上戸車を有しており、上枠は、ベース部材と、レール部材からなり、ベース部材は、ソリッド形状の押出材であって、天井面に取り付けてあり、レール部材は、ベース部材に呑み込ませて取り付けてあり、戸体の上戸車がレール部材を転動することを特徴とする。なお、ソリッド形状とは、中空部を有しない形状のことを示す。
【発明の効果】
【０００７】
本発明によれば、ベース部材を天井面に沿って設置し、レール部材を水平に設置することで、ベース部材と天井面の間に隙間が生じることがなく、また、レール部材がベース部材に呑み込ませてあって、レール部材とベース部材の間の隙間が露出しないので、意匠性が良好である。そして、隙間を埋める作業が必要ないので、施工が容易である。また、ベース部材が中空部を有しないソリッド形状なので、容易に天井面に沿うように変形させて、隙間が生じないように取り付けることができる。
【図面の簡単な説明】
【０００８】
【図１】戸の第一実施形態の上枠部分の縦断面図である。
【図２】戸の第一実施形態の縦断面図である。
【図３】戸の第一実施形態の横断面図である。
【図４】戸の第一実施形態の正面図である。
【図５】戸の第二実施形態の縦断面図である。
【図６】戸の第二実施形態の横断面図である。
【図７】戸の第三実施形態の縦断面図である。
【図８】戸の第四実施形態の縦断面図である。
【発明を実施するための形態】
【０００９】
以下、本発明の実施の形態を図面に基づいて説明する。なお、以下において左右とは、図４に示すように戸を正面視した状態の左右を示し、その状態の手前側を前側、奥側を後側とする。この戸の第一実施形態は引戸として用いられるものであり、図１〜図４に示すように、一枚の戸体１と、上枠２と、下枠６と、左右の縦枠７を有する。戸体１は、上框１１と、下框１２と、左右の縦框１３を四周框組みした内周側にパネル１４を納めたものであって、戸体１の上部（上框１１）の左右端部に、上戸車３を取り付けてあり、戸体１の下部（下框１２）の左右端部に、下戸車８を取り付けてある。上戸車３は、車輪３１が戸体１の上端よりも上側に突出しており、一つの上戸車３において、戸体１に固定される基部３２に対して、前後両側に、左右に並んで二つずつ、計四つの車輪３１を設けてある。一方、下戸車８は、戸体１の下端から車輪８１の下部が突出しており、一つの下戸車８に一つの車輪８１を設けてある。
【００１０】
また、天井面Ｃには、左右に延びる上枠２を取り付けてある。上枠２は、ベース部材４と、レール部材５からなるものである。ベース部材４は、水平向きの平面部４１と、平面部４１の前後両端から下側に向けて延びる見付面部４２と、平面部４１の前後両端から上側に向けて延びる突出片４５と、両見付面部４２の下端から内側に向けて延びる延出片４３を有するもので、中空部を有しないソリッド形状の押出材である。平面部４１の前後方向中央部には、上側に向けて突出し左右に延びる凸形部４４を形成してあり、凸形部４４の上面には、左右に延びる四本の突部４６を前後に略等間隔に並べて形成してあって、突部４６の上端と前後の突出片４５の上端の高さは同じである。一方、レール部材５は、水平向きの上面部５１と、上面部５１の前後両端から下側に向けて延びる見付面部５２と、両見付面部５２の下端から内側に向けて延びる下面部５３を有するもので、その前後幅は、ベース部材４の前後の延出片４３の間の間隔よりも僅かに短い。上面部５１の前後方向中央部には、上側に向けて突出し左右に延びる凸形部５４を形成してあり、さらに凸形部５４の前後両端及び上面部５１の前後両端から上側に向けて突出する当接片５５を形成してある。凸形部５４に形成した当接片５５の上端部は外側に向けて屈曲しており、四つの当接片５５の上端の高さは同じである。また、上面部５１と下面部５３の内側面（対向面）には、上戸車３の車輪３１が転動可能に挿入される挿入部５６を形成してある。
【００１１】
そして、ベース部材４を、スペーサＳを介して天井面Ｃに取り付けてある。この際、ベース部材４の突出片４５の上端及び凸形部４４の上面の突部４６がスペーサＳの下面に当接しており、凸形部４４に形成したネジ孔にネジを挿入してネジ止めしてある。ネジはスペーサＳを貫通し、天井面Ｃに到達しており、特に中央の二本の突部４６に、ネジの頭部が掛かっている。スペーサＳは、ベース部材４と同じ前後幅で左右に延びており、スペーサＳの前後の天井面Ｃには、スペーサＳと同じ厚さの化粧材Ｄを取り付けてあって、スペーサＳは外部から視認できなくなっている。なお、施工上の誤差などにより、天井面Ｃが水平でない場合もあるが、スペーサＳ及びベース部材４は、天井面Ｃに沿うように適宜変形させてある。さらに、このベース部材４に、レール部材５を取り付けてある。この際、レール部材５の当接片５５の上端がベース部材４の平面部４１の下面に当接しており、レール部材５の上部（上面部５１より上側部分）を、ベース部材４の前後の見付面部４２の間に呑み込ませてあって、凸形部５４に形成したネジ孔にネジを挿入してネジ止めしてある。ネジはベース部材４及びスペーサＳを貫通して天井面Ｃに到達している。なお、ベース部材４とレール部材５の間には適宜スペーサを取付自在であり、天井面Ｃが水平でなくベース部材４を天井面Ｃに沿うように変形させてある場合には、レール部材５が水平になるようにスペーサで調整する。
【００１２】
また、床面Ｆには、上枠２に対向して左右に延びる下枠６を取り付けてある。下枠６は、基盤材６１と、カバー材６２からなるものである。基盤材６１は、平板状のものであって、前後方向中央部には、略Ｙ字形の下レール６３を形成してある。そして、基盤材６１の、下レール６３の前後両側に形成したネジ孔にネジを挿入して床面Ｆにネジ止めしてあり、下レール６３の前後両側にそれぞれカバー材６２を取り付けて、ネジを覆い隠してある。カバー材６２は、上面が水平面となっており、前側のカバー材６２の前端部及び後側のカバー材６２の後端部が床面Ｆに向けて傾斜していて、床面Ｆとの段差が小さくなるようにしてある。
【００１３】
さらに、戸体１の戸先側と戸尻側の壁面Ｗには、縦枠７を取り付けてある。縦枠７は、垂直向きの平面部７１と、平面部７１の前後両端から内外周方向に延びる見付面部７２を有するもので、平面部７１の前後方向中央部には、内周側に向けて開口する断面略Ｃ字形の取付溝７３を形成してある。この縦枠７を、スペーサＳを介して壁面Ｗに取り付けてある。この際、縦枠７の見付面部７２の外周側端及び取付溝７３の底面がスペーサＳの内周側面に当接しており、取付溝７３の底面に形成したネジ孔にネジを挿入してネジ止めしてある。そして、図１及び図２に示すように、縦枠７の上端部は、上枠２のベース部材４の前後の見付面部４２の間に呑み込ませてあり（ベース部材４の延出片４３については、縦枠７と干渉する部分を切り欠いてある）、下端部は、床面Ｆに当接している。スペーサＳは、縦枠７と同じ前後幅で上下に延びており、スペーサＳの前後の壁面Ｗには、スペーサＳと同じ厚さの化粧材Ｄを取り付けてあって、スペーサＳは外部から視認できなくなっている。また、取付溝７３には樹脂製の戸当材７４を取り付けてあり、戸体１の開閉時に戸先や戸尻が衝突した際の衝撃を吸収する。戸体１の全開時及び全閉時には、戸先や戸尻が縦枠７の前後の見付面部７２の間に呑み込まれ、戸体１と縦枠７の間に隙間が生じない。
【００１４】
そして、戸体１の上戸車３が、上枠２のレール部材５の挿入部５６に挿入され、下戸車８が、下枠６の下レール６３に載置されて、戸体１が上枠２及び下枠６に沿って左右に摺動する。
【００１５】
このように構成した戸の第一実施形態によれば、天井面Ｃが水平でない場合であっても、ベース部材４を天井面Ｃに沿うように変形させて取り付けることで、ベース部材４と天井面Ｃの間に隙間が生じない。この際、ベース部材４は中空部を有しないソリッド形状であるから、容易に天井面Ｃに沿うように変形させて、隙間が生じないように取り付けることができる。そして、このベース部材４に対し、レール部材５を水平に設置すると、ベース部材４とレール部材５は平行でない場合も生じるが、レール部材５の上部がベース部材４の前後の見付面部４２の間に呑み込ませてあるので、ベース部材４とレール部材５の間の隙間が露出しない。また、レール部材５を水平にするために、ベース部材４とレール部材５の間にスペーサを取り付けた場合でも、スペーサがベース部材４の見付面部４２に隠され露出しない。このように、ベース部材４と天井面Ｃの間に隙間が生じず、レール部材５とベース部材４の間の隙間やスペーサが露出しないので、意匠性が良好である。そして、コーキング材などにより隙間を埋める作業が必要ないので、施工が容易である。さらに、ベース部材４を天井面Ｃに固定した状態のまま、レール部材５のみを自在に着脱可能であり、ベース部材４と天井面Ｃの間にコーキングを打設した場合でも、そのコーキングを切断する必要はないので、上戸車３の交換などのメンテナンスが容易である。また、縦枠７の上端部を、ベース部材４の前後の見付面部４２の間に呑み込ませてあり、縦枠７の上端とベース部材４の間の隙間が露出しないので、意匠性が良好であり、縦枠７の長さ寸法を厳密に調整する必要がないので、施工性が良好である。
【００１６】
次に、図５及び図６に基づき、本発明の戸の第二実施形態について説明する。第二実施形態も、一枚の戸体１と、上枠２と、左右の縦枠７を有するものであるが、下枠は有しておらず、以下においては第一実施形態と異なる部分についてのみ、説明する。戸体１に取り付けた上戸車３及び上枠２の構造は、第一実施形態と同じであるが、上枠２のベース部材４を、スペーサを介さず直接天井面Ｃに取り付けてある。そして、ベース部材４の前後の天井面Ｃには、化粧材Ｄを取り付けてあり、化粧材Ｄの小口面をベース部材４の見付面部４２に当接させてあるが、ベース部材４の厚さ（見付面部４２と突出片４５を合わせた長さ）は、化粧材Ｄの厚さよりもわずかに厚くなっており、化粧材Ｄの小口面が露出することはなく、意匠性が良好である。また、化粧材Ｄにクロスを貼る場合、化粧材Ｄよりも突出したベース部材４の見付面部４２にカッターを沿わせてクロスを切断できるので、施工が容易である。一方、戸体１の下部には下戸車を有しておらず、下框１２の下面には、左右に延びる摺動溝１５を形成してある。よって、戸体１は床面Ｆに接しておらず、上戸車３により吊り下げられた状態である。そして、床面Ｆの、上枠２の左右方向中央に対向する位置には、上向きに突出するガイド突起６４を設けてあり、ガイド突起６４が戸体１の摺動溝１５に挿入されることで、戸体１が前後方向に規制されている。さらに、縦枠７の構造も、第一実施形態と同じであるが、上枠２と同様に、スペーサを介さず直接壁面Ｗに取り付けてある。このように構成した戸の第二実施形態も、戸体１が上枠２に沿って左右に摺動するものであり、第一実施形態と同様の作用効果を奏する。
【００１７】
次に、図７に基づき、本発明の戸の第三実施形態について説明する。第三実施形態は、二枚の戸体１と、上枠２と、下枠６と、左右の縦枠７を有するものでる。各戸体１の構造は、第一実施形態と同じであり、これが前後に平行に並んで左右に摺動する。そして、上枠２、下枠６及び縦枠７についても、第一実施形態と同様の構成であるが、二枚の戸体１に対応したものとなっており、何れも二枚の戸体１が納まる見込幅となっている。上枠２のベース部材４については、前後二つの凸形部４４を形成してある。また、上枠２のレール部材５については、前後二つの凸形部５４を形成してあり、両凸形部５４の間に形成した二枚の中間見付面部５２ａと、両中間見付面部５２ａの下端に形成した中間下面部５３ａを有し、上面部５１と下面部５３及び中間下面部５３ａの内側面（対向面）には、上戸車３の車輪３１が転動可能に挿入される挿入部５６を前後に二つ形成してある。そして、ベース部材４を、スペーサＳを介して天井面Ｃに取り付けてあり、前後の凸形部４４にそれぞれ形成したネジ孔にネジを挿入してネジ止めしてある。さらに、このベース部材４に、レール部材５を取り付けてあり、前後の凸形部５４に形成したネジ孔にネジを挿入してネジ止めしてある。また、下枠６については、基盤材６１に前後二本の下レール６３を形成してある。そして、基盤材６１の前端部及び後端部に取り付けたカバー材６２に加え、両下レール６３の間にも中間カバー材６２ａを取り付けてある。このように構成した戸の第三実施形態も、第一実施形態と同様の作用効果を奏する。
【００１８】
なお、戸体１の数は何枚でもよく、たとえば、図８に示す第四実施形態は、三枚の戸体１を有する。戸体１の枚数が増えても、基本的な構成は、第三実施形態の場合と同様であり、上枠２、下枠６及び縦枠７について、戸体１の枚数に応じた見込幅として、上枠２のレール部材５の挿入部５６や、下枠６の下レール６３を、戸体１の枚数に応じた数だけ形成すればよい。
【００１９】
本発明は、上記の実施形態に限定されない。たとえば、戸体は、四周組んだ框にパネルを納めたものでよいし、一枚板からなるものでもよい。また、上戸車や下戸車の形状は、どのようなものであってもよく、上枠のレール部材や下枠の下レールの形状も、それに合わせて適宜変更できる。さらに、縦枠を設けず、壁面に戸体の戸先や戸尻を当接させるものであってもよく、その場合、壁面に直接戸当材を取り付けてもよい。
【符号の説明】
【００２０】
１  戸体
２  上枠
３  上戸車
４  ベース部材
５  レール部材
Ｃ  天井面
【図１】
2017014729.tif 000003
【図２】
2017014729.tif 000004
【図３】
2017014729.tif 000005
【図４】
2017014729.tif 000006
【図５】
2017014729.tif 000007
【図６】
2017014729.tif 000008
【図７】
2017014729.tif 000009
【図８】
2017014729.tif 000010